【手続補正書】
【提出日】平成18年3月23日(2006.3.23)
【手続補正１】
【補正対象書類名】明細書
【補正対象項目名】特許請求の範囲
【補正方法】変更
【補正の内容】
【特許請求の範囲】
【請求項１】 複数の原稿を読取って複数の画像データを取得する読取手段と、
前記取得された複数の画像データの関連を示し、前記複数の画像データを仮想的に一つのファイルとして取り扱うための管理情報を作成する管理情報作成手段と、
前記取得された複数の画像データを別々に送信する第１送信手段と、
前記管理情報を送信する第２送信手段とを備えた、画像読取装置。
【請求項２】 前記管理情報は、前記複数の画像データの順位を定める順位情報を含む、請求項１に記載の画像読取装置。
【請求項３】 前記順位情報は、前記読取手段により読取られた順に従って決定される、請求項２に記載の画像読取装置。
【請求項４】 前記取得された複数の画像データを識別するための識別情報を付与する識別情報付与手段をさらに含み、
前記第１送信手段は、前記複数の画像データと前記付与された識別情報とを関連付けて送信し、
前記管理情報は、前記識別情報と前記順位情報とを関連付けた情報である、請求項２に記載の画像読取装置。
【請求項５】 前記取得された複数の画像データを処理する形式の入力を受付ける手段と、
前記受付けられた処理形式に従って前記取得された複数の画像データを処理する処理手段とをさらに備え、
前記管理情報は、前記受付けられた処理形式を含む、請求項１に記載の画像読取装置。
【請求項６】 複数の原稿を読取って複数の画像データを取得するステップと、
前記取得された複数の画像データの関連を示し、前記複数の画像データを仮想的に一つのファイルとして取り扱うための管理情報を作成するステップと、
前記取得された複数の画像データを別々に送信するステップと、
前記管理情報を送信するステップとを含む、画像送信方法。
【請求項７】 複数の原稿を読取って複数の画像データを取得するステップと、
前記取得された複数の画像データの関連を示し、前記複数の画像データを仮想的に一つのファイルとして取り扱うための管理情報を作成するステップと、
前記取得された複数の画像データを別々に送信するステップと、
前記管理情報を送信するステップとを画像読取装置に実行させる画像送信プログラム。
【請求項８】 請求項７に記載の画像送信プログラムを記録したコンピュータ読取可能な記録媒体。
【請求項９】 複数の画像データを別々に受信する第１受信手段と、
前記複数の画像データの関連を示し、前記複数の画像データを仮想的に一つのファイルとして取り扱うための管理情報を受信する第２受信手段と、
前記受信された管理情報に従って前記受信された複数の画像データを処理する手段とを備えた、画像管理装置。
【請求項１０】 前記管理情報は、前記複数の画像データの順位を定める順位情報を含む、請求項９に記載の画像管理装置。
【請求項１１】 前記管理情報は、前記複数の画像データそれぞれを識別するための識別情報と前記順位情報とを関連付けた情報であり、
前記第１受信手段は、前記複数の画像データそれぞれを受信する場合に、受信する画像データに対応する識別情報を受信する、請求項１０に記載の画像管理装置。
【請求項１２】 複数の画像データを別々に受信するステップと、
前記複数の画像データの関連を示し、前記複数の画像データを仮想的に一つのファイルとして取り扱うための管理情報を受信するステップと、
前記受信された管理情報に従って、前記受信された複数の画像データを処理するステップとを含む、画像管理方法。
【請求項１３】 複数の画像データを別々に受信するステップと、
前記複数の画像データの関連を示し、前記複数の画像データを仮想的に一つのファイルとして取り扱うための管理情報を受信するステップと、
前記受信された管理情報に従って、前記受信された複数の画像データを処理するステップとをコンピュータに実行させる、画像管理プログラム。
【請求項１４】 請求項１３に記載の画像管理プログラムを記録したコンピュータ読取可能な記録媒体。
【手続補正２】
【補正対象書類名】明細書
【補正対象項目名】０００３
【補正方法】変更
【補正の内容】
【０００３】
【課題を解決するための手段】上述の目的を達成するためにこの発明のある局面によれば、画像読取装置は、複数の原稿を読取って複数の画像データを取得する読取手段と、取得された複数の画像データの関連を示し、前記複数の画像データを仮想的に一つのファイルとして取り扱うための管理情報を作成する管理情報作成手段と、取得された複数の画像データを別々に送信する第１送信手段と、管理情報を送信する第２送信手段とを備える。
【手続補正３】
【補正対象書類名】明細書
【補正対象項目名】０００８
【補正方法】変更
【補正の内容】
【０００８】
この発明に従えば、取得された複数の画像データが別々に送信されるとともに、複数の画像データの関連を示し、前記複数の画像データを仮想的に一つのファイルとして取り扱うための管理情報が送信される。このため、複数の画像データと管理情報とを受信したパーソナルコンピュータなどの画像管理装置では、受信した複数の画像データを別々の画像データとして認識することができるとともに、受信した複数の画像データを関連付けて仮想的に一つのファイルとして取り扱うことが可能となる。その結果、複数の原稿を読取って得られた複数の画像データを関連付けて送信することが可能な画像読取装置を提供することができる。
【手続補正４】
【補正対象書類名】明細書
【補正対象項目名】００１５
【補正方法】変更
【補正の内容】
【００１５】
この発明の他の局面によれば、画像送信方法は、複数の原稿を読取って複数の画像データを取得するステップと、取得された複数の画像データの関連を示し、前記複数の画像データを仮想的に一つのファイルとして取り扱うための管理情報を作成するステップと、取得された複数の画像データを別々に送信するステップと、管理情報を送信するステップとを含む。
【手続補正５】
【補正対象書類名】明細書
【補正対象項目名】００１６
【補正方法】変更
【補正の内容】
【００１６】
この発明に従えば、取得された複数の画像データが別々に送信されるとともに、複数の画像データの関連を示し、前記複数の画像データを仮想的に一つのファイルとして取り扱うための管理情報が送信される。このため、複数の画像データと管理情報とを受信したパーソナルコンピュータなどの画像管理装置では、複数の画像データを別々のデータとして認識することができるとともに、複数の画像データを関連付けて仮想的に一つのファイルとして取り扱うことが可能となる。その結果、複数の原稿を読取って得られた複数の画像データを関連付けて送信することが可能な画像送信方法を提供することができる。
【手続補正６】
【補正対象書類名】明細書
【補正対象項目名】００１７
【補正方法】変更
【補正の内容】
【００１７】
この発明のさらに他の局面によれば、画像送信プログラムは、複数の原稿を読取って複数の画像データを取得するステップと、取得された複数の画像データの関連を示し、前記複数の画像データを仮想的に一つのファイルとして取り扱うための管理情報を作成するステップと、取得された複数の画像データを別々に送信するステップと、管理情報を送信するステップとを画像読取装置に実行させる。
【手続補正７】
【補正対象書類名】明細書
【補正対象項目名】００１９
【補正方法】変更
【補正の内容】
【００１９】
この発明のさらに他の局面によれば、画像管理装置は、複数の画像データを別々に受信する第１受信手段と、複数の画像データの関連を示し、前記複数の画像データを仮想的に一つのファイルとして取り扱うための管理情報を受信する第２受信手段と、受信された管理情報に従って受信された複数の画像データを処理する処理手段とを備える。
【手続補正８】
【補正対象書類名】明細書
【補正対象項目名】００２０
【補正方法】変更
【補正の内容】
【００２０】
この発明に従えば、複数の画像データが別々に受信されて複数の画像データの関連を示し、前記複数の画像データを仮想的に一つのファイルとして取り扱うための管理情報が受信され、受信された管理情報に従って受信された複数の画像データが処理される。画像データの処理には、表示、印刷、複写および削除が含まれる。このため、受信された複数の画像データを別々の画像データとして認識することができるとともに、複数の画像データを関連付けて仮想的に一つのファイルとして取り扱うようページ管理することが可能な画像管理装置を提供することができる。
【手続補正９】
【補正対象書類名】明細書
【補正対象項目名】００２４
【補正方法】変更
【補正の内容】
【００２４】
この発明のさらに他の局面によれば、複数の画像データを別々に受信するステップと、複数の画像データの関連を示し、前記複数の画像データを仮想的に一つのファイルとして取り扱うための管理情報を受信するステップと、受信された管理情報に従って、受信された複数の画像データを処理するステップとを含む。
【手続補正１０】
【補正対象書類名】明細書
【補正対象項目名】００２５
【補正方法】変更
【補正の内容】
【００２５】
この発明に従えば、複数の画像データが別々に受信され、複数の画像データの関連を示し、前記複数の画像データを仮想的に一つのファイルとして取り扱うための管理情報が受信され、受信された管理情報に従って受信された複数の画像データが処理される。このため、複数の画像データを別々のデータとして認識することができるとともに、複数の画像データを関連付けて仮想的に一つのファイルとして取り扱うようページごとに管理することが可能な画像管理方法を提供することができる。
【手続補正１１】
【補正対象書類名】明細書
【補正対象項目名】００２６
【補正方法】変更
【補正の内容】
【００２６】
この発明のさらに他の局面によれば、画像管理プログラムは、複数の画像データを別々に受信するステップと、複数の画像データの関連を示し、前記複数の画像データを仮想的に一つのファイルとして取り扱うための管理情報を受信するステップと、受信された管理情報に従って、受信された複数の画像データを処理するステップとをコンピュータに実行させる。
【手続補正１２】
【補正対象書類名】明細書
【補正対象項目名】００２７
【補正方法】変更
【補正の内容】
【００２７】
この発明に従えば、コンピュータで実行されることにより、複数の画像データを別々の画像データとして認識することができ、複数の画像データを関連付けて仮想的に一つのファイルとして取り扱うようページごとに管理することが可能な画像管理プログラムおよび画像管理プログラムを記録したコンピュータ読取可能な記録媒体を提供することができる。